(57)【要約】【課題】  補助記憶装置に保存したデータを再印字する際、保存した時点での印刷装置の置かれた環境と保存されたデータを再度印刷に利用する時点での印刷装置の置かれた環境により濃度特性が変わっても、ユーザの所望する色での印字を可能とする。【解決手段】  濃度特性を測定し、該測定結果に従って濃度特性を補正する濃度補正手段、補助記憶装置に該濃度補正を行う以前のデータを記憶する第１の印刷データ保持手段と、補助記憶装置に該濃度補正後のデータを記憶する第２の印刷データ保持手段を有するカラー印刷システムにおいて、保存する該データの設定に従って、第１、第２の保持手段を選択する選択手段を持つカラー印刷システム。【選択図】        図１
2005138470.tif 000002
【特許請求の範囲】
【請求項１】
濃度特性を測定し、該測定結果に従って濃度特性を補正する濃度補正手段、補助記憶装置に該濃度補正を行う以前のデータを記憶する第１の印刷データ保持手段と、補助記憶装置に該濃度補正後のデータを記憶する第２の印刷データ保持手段を有するカラー印刷システムにおいて、保存する該データの設定に従って、第１、第２の保持手段を選択する選択手段を持つことを特徴とするカラー印刷システム。
【請求項２】
前記第１の印刷データ保持手段は、ページ記述言語で記載されたデータを保持することを特徴とする請求項１に記載のカラー印刷システム。
【請求項３】
前記第１の印刷データ保持手段は、ページ記述言語の解釈を終了し、濃度補正前の画像情報のデータを保持することを特徴とする請求項１に記載のカラー印刷システム。
【請求項４】
前記第２の印刷データ保持手段は、濃度補正後のビットマップのデータを保持することを特徴とする請求項１に記載のカラー印刷システム。
【請求項５】
前記第２の印刷データ保持手段は、ページ記述言語の解釈を終了し、濃度補正後の画像情報のデータを保持することを特徴とする請求項１に記載のカラー印刷システム。
【請求項６】
前記データ保持手段は、データを圧縮した圧縮データで保持することを特徴とする請求項１ないし５いずれかに記載のカラー印刷システム。
【請求項７】
前記選択手段は、ページ単位で保持手段を切り替える選択手段を持つことを特徴とするに請求項１に記載のカラー印刷システム。
【請求項８】
前記保存するデータの設定は、カラー印字、モノクロ印字を指定するカラー設定であることを特徴とする請求項１に記載のカラー印刷システム。
【請求項９】
前記保存するデータの設定は、画像オブジェクトへの濃度設定であることを特徴とする請求項１に記載のカラー印刷システム。
【発明の詳細な説明】
【技術分野】
【０００１】
本発明は、濃度補正手段および印刷データ保持手段を備えたカラー印刷システムに関する。
【背景技術】
【０００２】
事務処理に於けるＯＡ化が進み、ホストコンピュータから印刷装置へデータを転送して印刷される文書、資料等が増加しているのに伴い、印刷技術の向上により、１分間に数十枚の印字を行える高速な印刷装置や、カラーの印字を行い、より見やすい文書の印刷を行うことが可能なカラー印刷装置が出てきている。
【０００３】
カラーの印刷装置においては、温度や湿度等の環境の変化に伴う出力画像の変化、または印刷装置が電子写真方式の場合には、感光ドラムやトナーカートリッジのトナー等の消耗部品の劣化などに伴う可視像の変化・劣化を補正し、安定した画像を供給するために濃度補正を行う印刷装置が存在する。
【０００４】
一方、補助記憶装置の低価格化、高速化、大容量化などから、ハードディスク等の補助記憶装置を取り付け、作成した文書を登録、保存し、後に保存していた文書を再印刷することが可能な印刷装置も出てきている。このような印刷装置では、ホストコンピュータから送られてきたページ記述言語（ＰＤＬ）を受信データのまま補助記憶装置に保持する方式や、ＰＤＬを言語解釈してビットマップデータに展開する前の中間画像情報の状態で保持する方式や、ＰＤＬを言語解釈してビットマップ画像に展開されたイメージデータとして保持する方式が存在する。
【特許文献１】特開平１０−１１７２６４号公報
【発明の開示】
【発明が解決しようとする課題】
【０００５】
上記のような濃度補正を行う印刷装置において、濃度補正は、まず、指定された色の濃度で利用される濃度測定画像の濃度を実際にトナーにより顕像化し、その濃度を測定する。そして、指定された色の濃度で実際に印字されるように濃度の補正を行うための濃度補正テーブルを、濃度測定時の指定された色の濃度と測定値との間に生じるずれから作成し、指定された濃度と実際に印字される濃度の差を少なくして、色を忠実に再現しようとする機構である。
【０００６】
一方、上記のように補助記憶装置に文書を保存可能な印刷装置においては、補助記憶装置に一度データが保存されてしまうと、保存した時点での印刷装置の置かれた環境と保存されたデータを再度印刷に利用する時点での印刷装置の置かれた環境とが異なる場合が存在し、両者のタイミングの差から濃度補正テーブルが異なることが有り得る。このような場合、従来の印刷装置においては、濃度補正によりデータの変換が行われた後の状態でデータが保存されてしまうと、データの種類によって再印刷時に色が変わってしまう場合が存在するという問題点があった。
【０００７】
本発明は、補助記憶装置に保存したデータを再印字する際、保存した時点での印刷装置の置かれた環境と保存されたデータを再度印刷に利用する時点での印刷装置の置かれた環境が異なる場合にも、色が変わることなくユーザの望む色での印字を可能とすることを目的とする。
【０００８】
また、本発明は、色が変わるデータを予め判別し、色が変わる可能性のあるデータを補助記憶装置に保存する際に自動的にデータの保存方式を変更し、補助記憶装置に保存したデータを再印字する際、保存した時点での印刷装置の置かれた環境と保存されたデータを再度印刷に利用する時点での印刷装置の置かれた環境が異なる場合にも、色が変わることなくユーザの望む色での印字を可能とすることを目的とする。
【課題を解決するための手段】
【０００９】
上記目的を達成するために本発明の印刷装置は、以下のような構成を備える。
【００１０】
（１）濃度特性を測定し、該測定結果に従って濃度特性を補正する濃度補正手段、補助記憶装置に該濃度補正を行う以前のデータを記憶する第１の印刷データ保持手段と、補助記憶装置に該濃度補正後のデータを記憶する第２の印刷データ保持手段を有するカラー印刷システムにおいて、保存する該データの設定に従って、第１、第２の保持手段を選択する選択手段を持つことを特徴とするカラー印刷システム。
【００１１】
（２）前記第１の印刷データ保持手段は、ページ記述言語で記載されたデータを保持することを特徴とする前記（１）に記載のカラー印刷システム。
【００１２】
（３）前記第１の印刷データ保持手段は、ページ記述言語の解釈を終了し、濃度補正前の画像情報のデータを保持することを特徴とする前記（１）に記載のカラー印刷システム。
【００１３】
（４）前記第２の印刷データ保持手段は、濃度補正後のビットマップのデータを保持することを特徴とする前記（１）に記載のカラー印刷システム。
【００１４】
（５）前記第２の印刷データ保持手段は、ページ記述言語の解釈を終了し、濃度補正後の画像情報のデータを保持することを特徴とする前記（１）に記載のカラー印刷システム。
【００１５】
（６）前記データ保持手段は、データを圧縮した圧縮データで保持することを特徴とする前記（１）ないし（５）いずれかに記載のカラー印刷システム。
【００１６】
（７）前記選択手段は、ページ単位で保持手段を切り替える選択手段を持つことを特徴とする前記（１）に記載のカラー印刷システム。
【００１７】
（８）前記保存するデータの設定は、カラー印字、モノクロ印字を指定するカラー設定であることを特徴とする前記（１）に記載のカラー印刷システム。
【００１８】
（９）前記保存するデータの設定は、画像オブジェクトへの濃度設定であることを特徴とする前記（１）に記載のカラー印刷システム。
【００１９】
［作用］
以上の構成において、本発明は、補助記憶装置に保存したデータを再印字する際、保存した時点での印刷装置の置かれた環境と保存されたデータを再度印刷に利用する時点での印刷装置の置かれた環境が異なる場合にも、色が変わることなくユーザの望む色での印字を行うことが可能となる。
【００２０】
また、本発明は、色が変わるデータを予め判別し、色が変わる可能性のあるデータを補助記憶装置に保存する際に自動的にデータの保存方式を変更し、補助記憶装置に保存したデータを再印字する際、保存した時点での印刷装置の置かれた環境と保存されたデータを再度印刷に利用する時点での印刷装置の置かれた環境が異なる場合にも、色が変わることなくユーザの望む色での印字を行うことが可能となる。
【発明の効果】
【００２１】
本発明は、補助記憶装置に保存したデータを再印字する際、保存した時点での印刷装置の置かれた環境と保存されたデータを再度印刷に利用する時点での印刷装置の置かれた環境が異なる場合にも、色が変わることなくユーザの望む色での印字を行うことを可能ならしめた。
【００２２】
また、本発明は、色が変わるデータを予め判別し、色が変わる可能性のあるデータを補助記憶装置に保存する際に自動的にデータの保存方式を変更し、補助記憶装置に保存したデータを再印字する際、保存した時点での印刷装置の置かれた環境と保存されたデータを再度印刷に利用する時点での印刷装置の置かれた環境が異なる場合にも、色が変わることなくユーザの望む色での印字を行うことを可能ならしめた。
【発明を実施するための最良の形態】
【００２３】
以下、図面を参照しながら従来の実施形態、および本発明の実施形態を詳細に説明する。
【００２４】
なお、本実施形態では、印刷装置の一例としてカラーレーザビームプリンタを例に説明する。
【実施例１】
【００２５】
まず、従来の実施形態について説明する。
【００２６】
図１は、従来例の印刷装置であり、ホストコンピュータ（１００１）とカラーレーザビームプリンタ１０３０、およびその両者を接続している通信線１００２から構成されるシステム構成を示した図である。
【００２７】
カラーレーザビームプリンタ１０３０内の１０３１は、プリンタ全体の動作を司るカラーレーザビームプリンタ制御ユニットである。制御ユニットには、ホストコンピュータとの入出力を司るホストＩ／Ｆ部１０４８を通じて、ジョブ設定データ、各通信手段からデータの送受信を行うための入出力バッファ（１０３２）、制御ユニット全体の動作を制御するＣＰＵ１０３３、ＣＰＵの動作を記述するプログラムが内蔵されているプログラムＲＯＭ１０３４、前記ジョブ設定データ、データの解釈や印刷に必要な計算、印字データの処理のためのワークメモリに利用されるＲＡＭ１０３５、ホストコンピュータから受信したデータであるページ記述言語の解析を行い、解析結果により各種の画像オブジェクトを生成するＰＤＬ解析／画像情報生成部１０４１、画像オブジェクトをビットマップ画像に展開するビットマップ画像展開部１０４０、展開されたビットマップ画像を印刷装置エンジンに転送するビットマップ画像転送部１０４２、実際に紙に印刷を行う印刷装置エンジン部１０３６とエンジンの各動作の制御を行うエンジン制御部１０４９、およびカラー／モノクロ印字の制御を行うカラー／モノクロ印字制御部１０５０、プリンタコントローラとエンジン部を繋ぐエンジンＩ／Ｆ部１０４６、濃度補正実行時に濃度を測定する際に利用する濃度補正測定用の画像を生成し、濃度の測定をエンジンに指示する濃度制御実行部１０７０、測定された濃度測定結果に基づいて濃度補正テーブルを作成する濃度補正テーブル作成部１０７１と補正テーブルを格納しておく濃度補正テーブル格納部１０７２、ビットマップ画像に展開する際に、濃度設定の行われている画像オブジェクトに対して濃度補正を行う濃度補正実行部１０７３、ホストコンピュータにより文書の保存が指定された場合に、ＰＤＬデータのハードディスクへの保存、および、保存文書の印字が指定された場合にハードディスクからの読出しを行うＰＤＬデータ保存／読出し処理部１０８０、またホストコンピュータにより文書の保存が指定された場合に、イメージデータのハードディスクへの保存、および、保存文書の印字が指定された場合にハードディスクからの読出しを行うイメージデータ保存／読出し処理部１０８１、ハードディスクへの文書の保存、および読出し時に一時的にデータを保存する保存データスプール部１０８２、印刷装置の操作を行う操作パネル１０３７、制御ユニットと操作パネルを繋ぐパネルＩ／Ｆ部１０４７および、印字データや様々な印刷装置の情報等の保存に利用されるハードディスク１０３８と制御ユニットと外部メモリを繋ぐメモリＩ／Ｆ部１０３９、そして各ユニットを繋ぐシステムバス１０４３からシステムは構成されている。
【００２８】
図２は従来例のカラーカラーレーザビームプリンタのエンジン部１０３６である。カラーレーザビームプリンタ１０３０は、図２に示すように、筐体２００１を備え、筐体２００１には、エンジン１０３６を構成するための各機構と、その各機構による各印字プロセス処理（例えば、給紙処理など）に関する制御を行うエンジン制御部１０４９、及びプリンタコントローラ１０３１（図１に示す）を収納する制御ボード収納部２００３とが内蔵されている。
【００２９】
エンジン部１０３６を構成するための各機構としては、レーザ光の操作による感光ドラム上への静電潜像形成、その静電潜像の顕像化、その顕像を中間転写体２０１０に多重転写し、多重転写されたカラー画像を転写材２０２７へ更に転写するための工学処理機構、転写材２０２７に転写されたトナー像を定着させるための定着処理機構、転写材の給紙処理機構、転写材の搬送処理機構が設けられている。
【００３０】
工学処理機構は、レーザスキャナ部２０２０において、半導体レーザ（図示せず）から発射されるレーザ光をプリンタコントローラ１０３１から供給されたイメージデータに応じてオン、オフ駆動するレーザドライバ２００６を有し、半導体レーザから発射されたレーザ光は回転多面鏡２００７により走査方向に振られる。その主走査方向振られたレーザ光は反射ミラー２００８を介して感光ドラム２００５に導かれ、感光ドラム２００５上を主走査方向に露光する。
【００３１】
現像器２０１９で一次帯電器２０２３により帯電され、レーザ光による走査露光によって感光ドラム２００５上には静電潜像が形成され、その潜像は供給されるトナーによってトナー像に顕像化される。トナー像は、トナー像とは逆特性の電圧を印加して感光ドラム２００５上から中間転写体２０１０上に転写（１次転写）する。
【００３２】
カラー画像形成時には、中間転写体２０１０の１回転毎に現像ロータリ２０１１が回転し、イエロー現像器２０１２Ｙ，マゼンタ現像器２０１２Ｍ，シアン現像器２０１２Ｃ，次いで黒現像器２０１２Ｋの順で現像工程がなされ、中間転写体２０１０が４回転してイエロー、マゼンタ、シアン、黒のそれぞれの可視像を順次形成し、その結果フルカラー可視像を形成する。また、モノクロ画像形成時は、黒現像器２０１２Ｋのみで現像工程がなされ、中間転写体２０１０が１回転して黒の可視像を形成し、モノクロ可視像を中間転写体２０１０上に形成する（１次転写）。
【００３３】
中間転写体２０１０上に形成されたトナー像は、レジストローラ２０３９で待機させておいた転写材２０２７を搬送し、転写ローラ２０１３にて転写材２０２７を中間転写体２０１０に圧接すると同時に、転写ローラ２０１３にトナーと逆特性のバイアスを印加することで、給紙処理機構によって副走査方向に同期して給紙される転写材２０２７に転写される（２次転写）。
【００３４】
感光ドラム２００５およびイエロー現像器２０１２Ｙ，マゼンタ現像器２０１２Ｍ，シアン現像器２０１２Ｃ，次いで黒現像器２０１２Ｋは着脱可能であり、黒以外の現像器は、現像ロータリ２０１１に入っている。反射ミラー２００８は半透過型ミラーからなり、その裏面側にはビームディテクタ２００９が配置されている。ビームディテクタ２００９はレーザ光を検出し、その検出信号はプリンタコントローラ２００３に与えられる。プリンタコントローラ１０３１はビームディテクタ２００９の検出信号に基づき主走査方向への露光タイミングを決定する水平同期信号を生成し、その水平同期信号はプリンタコントローラ１０３１に出力される。
【００３５】
２０２２はクリーナで、感光ドラム２００５上の残存トナーを取り除く。２０２１は前露光ランプで、感光ドラム２００５を光除電する。
【００３６】
転写ローラ２０１３は、図示上下方向に移動可能で、かつ、駆動手段を有している。前記中間転写体２０１０に４色のトナー像を形成している間、すなわち、中間転写体２０１０が複数回回転している間は、その画像を乱さないように、図示実線で示すように、転写ローラ２０１３は下方に位置し、中間転写体２０１０とは離れている。中間転写体２０１０に４色のトナー像の形成が終わった後、転写材２０２７にカラー画像を転写するタイミングに合わせて転写ローラ２０１３は不図示のカム部材により図示点線で示す上方の位置、すなわち転写材２０２７を介して中間転写体２０１０に所定の圧力で押し付けられる。この時、同時に転写ローラには、バイアスが印加され中間転写体２０１０上のトナー画像は転写材２０２７に転写される。２０４６は、転写ローラクリーナであり、転写ローラに転写材のサイズ外に印字された中間転写材のトナーがついた場合のクリーニングを行う。また、中間転写体の周りには、画像形成を行う際の印字開始位置を決めるための画像形成開始位置検出センサ２０４４Ｔ、転写材の給紙のタイミングを図るための給しタイミングセンサ２０４４Ｒ、濃度補正時に濃度測定画像の濃度を測定する濃度センサ２０４４Ｃが配置されている。濃度制御の指示がコントローラの濃度制御実行部１０７０により要求された場合には、この濃度センサにより、それぞれの濃度測定画像の濃度測定を行う。
【００３７】
定着処理機構は、転写材２０２７に転写されたトナー像を熱圧によって定着させるための定着器２０１４を有し、定着器２０１４には、転写材２０２７に熱を加えるための定着ローラ２０１５と、転写材２０２７を定着ローラ２０１５に圧接させるための加圧ローラ２０１６とからなり、これらの各ローラは中空ローラであり内部にそれぞれヒータ２０１７，２０１８を有し、回転駆動されると同時に転写材２０２７を搬送するように構成されている。
【００３８】
２０４５は、転写材の種類を自動的に検出し、定着性を高めるための転写材判別センサであり、転写材の特性によって、定着器を通す時間を調節することによって転写材の搬送時間を切り替える。
【００３９】
転写材の給紙機構は、転写材２０２７を収容するカセット２０２４と手差しトレイ２０２５とを有し、カセット２０２４の転写材または手差しトレイ２０２５の転写材を選択的に給紙するように構成されている。カセット２０２４は筐体２００１内に装着され、カセット２０２４には、仕切り板（図示せず）の移動位置に応じて転写材のサイズを電気的に検知するサイズ検知機構が設けられている。カセット２０２４からはその最上の転写材から１枚単位でカセット給紙クラッチ２０２６の回転駆動によって給紙ローラ２０３８まで搬送される。カセット給紙クラッチ２０２６は、給紙毎に駆動手段（図示せず）によって間欠的に回転駆動されるカムからなり、そのカムが１回転する毎に１枚の転写材が給紙される。
【００４０】
給紙ローラ２０３８は転写材をその先端部がレジストシャッタ２０２８に対応する位置まで搬送し、レジストシャッタ２０２８は、給紙された転写材の押圧及びその解除によって、その転写材の給紙停止及びその解除を行い、そのレジストシャッタ２０２８の動作はレーザ光の副走査に同期するように制御される。
【００４１】
これに対し、手差しトレイ２０２５は筐体２００１に設けられ、ユーザによって手差しトレイ２０２５に搭載された転写材は給紙ローラ２０２９でレジストシャッタ２０２８に向けて給紙される。
【００４２】
転写材の搬送処理機構は、レジストシャッタ２０２８による押圧が解除された転写材を中間転写体２０１０に向けて搬送する搬送ローラ２０３９と、定着器２０１４から排出された転写材を筐体２００１上部に形成された排紙トレイＦＤまで導くための各フラッパ２０３６、２０３７と各搬送ローラ２０４０，２０４１，２０４２と、各搬送ローラ２０４０，２０４１，２０４２を駆動するための駆動手段（図示せず）とを有する。フラッパ２０３７は、切り替えることによって、筐体２００１上部に形成された排紙トレイＦＤ、筐体２００１側面に形成された排紙トレイＦＵの排紙先を切り替えることが可能である。
【００４３】
また、フラッパ２０３６を切り替えることによって、両面印字を行うことも可能となる。２０３０は、反転給紙ユニットであり、エンジン搬送ローラ２０３１，２０３２，２０３３、およびフラッパ２０３４を備える。
【００４４】
筐体２００１には、パネル部１０３７を構成するための操作パネル２００２が取り付けられている。操作パネル２００２には、指示入力操作のためのスイッチ群、情報表示のためのＬＥＤ表示器、ＬＣＤ表示器が設けられている。また、プリンタコントローラにより印字データ等の記憶に利用される外部メモリ部１０３８を構成するためのハードディスク２０４３が取り付けられている。
【００４５】
次に、上述したシステム構成でのプリンタコントローラでの動作について以下に説明する。
【００４６】
図３は、データの解析における処理過程、図４にＰＤＬ解釈／画像情報生成部１０４１における処理過程、そして図５には、電源立ち上げ後印字するページがあるかを監視する印字制御における処理過程を示す。
【００４７】
ホストコンピュータにおいて、ユーザからの指定により、印刷の実行が指定されると、ホストコンピュータから通信線１００２を介して送信されてきたジョブ設定データ（ここでは、ジョブ設定データの中には、印字データの補助記憶装置への保存や、印字データの補助記憶装置からの読み出し印字、その種類を指定するデータが存在するものとする）、および、ページ記述言語（ＰＤＬ）が送られ、ホストＩ／Ｆ部１０４８を介して入力バッファ１０３２を経由してＲＡＭ１０３５に蓄えられる。これらのデータは、ＣＰＵ１０３３は、プログラムＲＯＭ１０３４に記述されたプログラムに従い、データの解析が開始されると３００１、ジョブ設定データを解析して、ジョブ設定データで指定される印刷装置の各種設定を行い３００２、データの解析が終了していなければ（３００３でＮＯ）、ジョブ設定データの各種設定において、データの補助記憶装置への保存が指定されているかどうかをチェックする（３００５）。データの保存が指定されていなければ（３００５でＮＯ）、次に補助記憶装置に保存されているデータの印字かどうかをチェックし（３００９）、保存データの印字でなければ（３００９でＮＯ）、通常の印字動作となる。この場合、続いて３０１３の時点でＰＤＬ解釈／画像情報生成部１０４１において、ＰＤＬ解析／画像情報の生成を行う。
【００４８】
ＰＤＬ解釈／画像情報生成部１０４１においてＰＤＬの解析処理を行い、図形や文字、イメージデータ等１つ１つ（画像オブジェクト）についての画像情報を生成する。図４において、ホストコンピュータより受信したＰＤＬデータの解釈を行い、印字するページが開始されるとＰＤＬの解釈を行いながら１ページ分の画像情報の生成が開始される４００１、ここでカラー／モノクロのモード指定や、給排紙口、転写材のサイズ等印字するページのエンジンへの設定がページに設定されている情報として保存され４００２、ページの解釈が終了したかどうかをチェックし４００３、終了していなければ（４００３でＮＯ）、１つ分のオブジェクト（線や図形、イメージなどの１まとまり）の解釈を行い４００４、そのオブジェクトに濃度の指定が設定されているかどうかをチェックし４００５、指定されていれば４００５でＹＥＳ、予め濃度補正テーブル格納部１０７２に格納されている濃度補正テーブルを参照する４００６。これは、オブジェクトに濃度を設定する際に、そのまま濃度を設定すると実際の印字で濃度が異なる可能性があるためである。
【００４９】
ここで、濃度の測定および補正について（濃度補正のしくみ）説明する。
【００５０】
図９は、濃度測定時に利用される濃度測定画像を模擬的に示した図である。
【００５１】
９００１は、トナーを顕像化することのできる中間転写体の描画領域であり、９００２Ｘ（Ｘは、Ｙ（イエロー），Ｍ（マゼンタ），Ｃ（シアン），Ｋ（黒））は、入力濃度（ユーザよりオブジェクトに設定されてくる濃度）０．２５のパターンにより生成される濃度測定画像、同様に、９００３Ｘ、９００４Ｘ、９００５Ｘは、入力濃度０．５、０．７５、１．０の際に生成される濃度測定画像を示している。また、図中矢印の方向は、図２での中間転写体の回転方向と一致する。これらの濃度測定画像を濃度センサで読み取り、結果を出力濃度（印刷装置によって実際に印字される濃度）とすると、その関係は、例えばイエローで図１０（横軸が入力濃度、縦軸が出力濃度である。）の曲線１０００１のように得られる。
【００５２】
前記の各色での測定は、４点であるが、この曲線１０００１は、印字装置のトナーや中間転写体の材質、温度、湿度等の事前のテストより収集されたデータにより関数化あるいは、テーブル化されており、それらの値から割り出される。
【００５３】
また、図中１０００２は、実際に入力濃度に対して出力されるべき理想濃度である。
【００５４】
濃度測定による曲線１０００１より、出力濃度は、Ｙの入力濃度０．２５、０．５、０．７５、１．０の場合にそれぞれ、０．５、０．７５、０．９３、１．０となることから、逆に、入力濃度が０．５０、０．７５、０．９３、１．０の入力濃度の場合に補正を行って、０．２５、０．５、０．７５、１．０を補正入力濃度として印字してやれば、入力濃度に対して理想の０．５０、０．７５、０．９３、１．０が出力濃度として得られる事になる。このように図１０での入力濃度に対する理想的な出力濃度が得られるようにして変換を行う、濃度補正テーブルを作ってやる場合の入力濃度と補正入力濃度の関係を示す図が、図１１であり、入力濃度と補正入力濃度の関係を示す曲線が１１００２となる。このように濃度補正を行い、実際に測定された出力濃度を利用して作成した濃度補正テーブルを利用することによって、画像の濃度補正が行われ、理想的な濃度で印字が行われることになる。
【００５５】
図４に戻り、４００５において、濃度指定がされているオブジェクトの場合には、濃度補正実行部１０７３によって、濃度補正テーブルを参照し４００６、濃度の変換を行って４００７、１つ分のオブジェクトの画像情報の生成を行うことになる４００８。また、濃度の指定が無ければ４００５でＮＯ、そのまま画像情報の生成を行う４００８。そして、１ページ分の解釈が終了するまで、４００４からの処理を繰り返す。そして１ページ分の解釈が終了すると（４００３でＹＥＳ）、ＰＤＬ解釈／画像情報の生成を終了４００９して、３０１４の処理に戻る。
【００５６】
ページ分の画像情報の生成が終了すると、ビットマップ画像展開部１０４０において画像情報からＲＡＭに実際に印字されるビットマップ画像への展開を開始し３０１４、ハードディスクへのイメージデータの保存（ここではビットマップ画像）が指定されていなければ（３０１５でＮＯ）、印刷を始めるため、印字待ちページに登録を行い３０１６、データの解析が全て終了するまで（３００３でＹＥＳ）となるまで処理が行われ、３００４においてデータ解析を終了する。
【００５７】
一方、電源投入により、ページの印字を行う印字制御が開始されると、図５のようにエンジンの状態を監視し、５００２において濃度制御処理が必要か否かを判断する。ここで、濃度制御が必要でない場合（５００２でＮＯ）には、通常の印字処理が行われ、印字待ちとなっているページが存在するかどうかをチェックし５００４、全てのページが印字終了していれば、すなわち、待ちページが無ければ（５００４でＮＯ）、そのまま５００２〜５００４の処理を繰り返してページの生成を待つ。印字待ちページが存在すれば（５００４でＹＥＳ）、次に印字を行うページを選択する５００５。そして、選択されたページの４００２で保存されている各種情報に基づいてカラー／モノクロのモード指定や、給排紙口、転写材のサイズ等印字するページのエンジンへの設定が行われる４００７。
【００５８】
図６は、従来のカラーレーザビームプリンタのプリンタコントローラ１０３１と印刷装置エンジン部１０３６の印字プロトコルをインターフェース信号のタイミングチャートと物理的な動作を模擬的に示した図である。
【００５９】
次にエンジンに起動をかけるため、印字する最初のプレーンの設定を行い（モノクロ印字の場合には、黒のプレーン設定、カラー印字の場合は、最初に印字するプレーン、イエローの設定）、エンジンに対してＰＲＩＮＴ信号を出力する（５００４、図６、ＰＲＩＮＴ信号をＴＲＵＥ）。ＰＲＩＮＴ信号は、プリンタコントローラ１０３１が印字開始を要求する信号（負でＴＲＵＥを示す）である。次に、プリンタコントローラがＰＲＩＮＴ信号をＴＲＵＥにするとエンジン部は、ＰＲＩＮＴ信号のＴＲＵＥを検出して印字動作を開始し、プリンタコントローラに対して印刷装置エンジン部１０３６がプリンタコントローラに対して画像データを要求するタイミング信号（負でＴＲＵＥを示す）であるＴＯＰ信号を所定時間ＴＲＵＥにする。プリンタコントローラ部は、このＴＯＰ信号を待ち（５００５でＮＯ）、ＴＯＰ信号のＴＲＵＥを検出すると共に（時刻ＴｏｐＹ１，５００５でＹＥＳ）、ビットマップ画像展開部１０４０で展開された対象プレーンのビットマップ画像をビットマップ画像転送部１０４２において、画像データとして不図示のクロック信号に同期して１ページ分送出する５００９。そして、カラーで次のプレーンが残っている場合には（５０１０でＮＯ）、次のプレーンの設定に切り替え（５０１１）、５００８〜５０１０の処理を繰り返して、マゼンタ、シアン、黒とプレーンを切り替えて印字を行い、終了と共に（５０１０でＹＥＳ）１ページ分の印字処理が終了し、５００２からの処理へ戻る。
【００６０】
図６中で６００１，６００２，６００３，６００４は、印字の際に、プリンタコントローラから送出されたＹ，Ｍ，Ｃ，Ｋの画像データが感光ドラム２００５上にトナー像に顕像化され、中間転写体に１次転写されるまでの時間を示している。例えば、図７は、中間転写体に転写された画像を模擬的に示した図であるが、７００１は、トナーを顕像化することのできる中間転写体の描画領域である。７００２は、印字する転写材のサイズであり、転写材に印字可能な印字領域に当たる。また、図中矢印の方向は、図２での中間転写体の回転方向と一致する。この場合、３つのオブジェクト７００３、７００４、７００５が印字され、４色分の中間転写体への一次転写終了後に、中間転写体から転写材に２次転写が行われ、定着処理機構により６００５で定着処理が行われ排紙口ＦＤに排紙されることになる。転写材に２次転写されたされた結果が、図２０になり、図中の矢印が、転写材の搬送方向となる。
【００６１】
一方、上述のステップ５００２において、電源投入時や温度、湿度の変化や出力枚数等の印字状況、感光ドラム、トナーカートリッジ等の変更によって濃度制御が必要と判断される（５００２でＹＥＳ）と、濃度制御処理５００３が実行されることになり、その間は、通常の印字処理（５００５〜５０１１）が行えなくなる。
【００６２】
図１２は、従来のカラーレーザビームプリンタのプリンタコントローラ１０３１と印刷装置エンジン部１０３６の濃度制御プロトコルをインターフェース信号のタイミングチャートと物理的な動作を模擬的に示した図である。
【００６３】
濃度制御が開始される８００１と、Ｙ、Ｍ、Ｃ、Ｋの順に濃度の測定が行われることになり、まず、濃度制御実行部１０７０により濃度測定用画像が生成される８００２（この時点では、ＲＡＭ上に濃度測定画像の画像のみを生成しておく。）８００２。そしてエンジンに対して濃度補正の設定を行う８００３、この操作によってエンジンは、濃度制御用の動作を行うことになる。次に、濃度測定画像を転送する最初の色の設定を行い本実施例の場合は、最初に印字するプレーン、イエローの設定を行い、エンジンに対してＰＲＩＮＴ信号を出力する（８００４、図１２、ＰＲＩＮＴ信号をＴＲＵＥ）。ＰＲＩＮＴ信号は、プリンタコントローラ１０３１が印字、あるいは濃度補正における制御開始を要求する信号（負でＴＲＵＥを示す）である。
【００６４】
次に、プリンタコントローラがＰＲＩＮＴ信号をＴＲＵＥにするとエンジン部は、ＰＲＩＮＴ信号のＴＲＵＥを検出して印字動作を開始し、プリンタコントローラに対して印刷装置エンジン部１０３６がプリンタコントローラに対して画像データ（濃度補正では濃度測定画像）を要求するタイミング信号（負でＴＲＵＥを示す）であるＴＯＰ信号を所定時間ＴＲＵＥにする。プリンタコントローラ部は、このＴＯＰ信号を待ち（８００５でＮＯ）、ＴＯＰ信号のＴＲＵＥを検出すると共に（時刻ＴｏｐＰＹ，８００５でＹＥＳ）、８００２で生成された対象色の濃度測定画像を不図示のクロック信号に同期して１ページ分送出する８００６。ここで、中間転写体上には、図９の９００２Ｙ、９００３Ｙ、９００４Ｙ、９００５Ｙの画像が形成されることになる。そして、この濃度測定画像に対する濃度の測定が行われ、その結果を習得する８００７。そして、上記で説明した方法によって、濃度補正テーブル作成部１０７１により濃度補正テーブルが作成され、濃度補正テーブル格納部１０７２に保存される８００８。この処理が図１２中１２００１に相当する。次に、他の色の測定が残っている場合には（８００９でＮＯ）、次の色の設定に切り替え（８０１０）、８００５〜８００９の処理を繰り返して、マゼンタ、シアン、黒とプレーンを切り替えて濃度測定（１２００２、１２００３、１２００４）を行い、終了と共に（８０１１でＹＥＳ）濃度制御処理を終了する。
【００６５】
上記のようにして、通常印字および濃度補正が行われることになる。
【００６６】
次に、ジョブ設定データにより、補助記憶装置へのデータの保存が指定されている場合について説明する。ＰＤＬデータの保存の場合は、図３において、３００５でＹＥＳとなり、３００６では、ＰＤＬデータの保存方式が設定される。その結果、ＰＤＬデータの保存かどうかをチェックして３００７、ＰＤＬデータの保存であるため（３００７でＹＥＳ）、データをそのままＰＤＬデータを再呼び出して印刷が可能となるように必要な情報と共にハードディスクに保存して３００８、データの解析を終了する。また、３００６でイメージデータの保存の場合には、３００６でイメージデータの保存方式が設定され、その結果、ＰＤＬデータの保存ではないため（３００７でＮＯ）、イメージデータとなるよう３０１３でのＰＤＬ解析／画像情報の生成が行われ、ビットマップ画像への展開が行われる３０１４。そして、３００６の設定によって、イメージデータの保存が指定されている場合には３０１５でＹＥＳ、３０１７でハードディスクにイメージデータが保存されることになる。この場合データ解析が終了すると終了時３００４に、ジョブ設定データ等、再印刷時に必要な情報は、同時にハードディスクに保存される。
【００６７】
次に、ジョブ設定データにより、補助記憶装置に一度保存されていたデータの再印字が設定された場合について説明する。保存されているＰＤＬデータの印字の場合には、３００９において、保存データの印字かどうかをチェックし３００９、保存データの印字の場合には、まず、ＰＤＬデータの読込かどうかをチェックし３０１０、ＰＤＬデータの場合には、ハードディスクよりＰＤＬデータを読出し３０１１、３０１３からの通常印字処理と同じ系を通って、印字待ちページに登録して、データ解析を終了する。また、３０１０で、イメージデータの読込である場合には、ハードディスクよりイメージデータを読み込むが、既に画像情報からビットマップ画像に変換されているため、画像情報の生成からのパス３０１３、３０１４を行わずに、イメージデータの保存かをチェックして（３０１５）、データの保存でなければ（３０１５でＮＯ）、印字待ちページに登録され、通常の印字処理と同じ系を通って、印字される。
【００６８】
この場合ジョブ設定データ等、再印刷時に必要な情報は、３０１１、３０１２の処理過程で同時にハードディスクから読み出される。
【００６９】
さて、上記のような印刷装置の場合、保存されたデータが再印刷され、印刷に利用されるまでに時間が空いてしまうことも少なくない。そのような場合、ハードディスクにＰＤＬデータを保存した場合には、データを再印刷した時点で、その時点の印字環境に合った濃度補正テーブルを参照して、画像情報の生成が行われるため、理想的な濃度での印字が可能である。しかし、ハードディスクにイメージデータ（本例では、ビットマップデータ）を保存した場合には、データを登録した時点で、濃度補正テーブルを参照して画像情報の生成が行われ、更には、ビットマップのデータが生成されてしまうため、再印刷した時点で濃度補正テーブルがデータ保存時と異なってしまうと理想的な濃度での印字が行えなくなり、例えば、データの保存時に図１１のような濃度補正テーブルの曲線１１００２が得られており、データの再印刷時には、図１３のように濃度補正テーブルの曲線が１３００２に変わっていた場合には、図１１で、０．５の入力の場合の補正入力濃度が０．２５のままでビットマップに展開されてしまっているため、図１３の現在の補正入力濃度０．２５の元データである入力０．６８を入力したのと同じことになってしまう。その結果、再印刷時には、０．５の濃度が０．６８で印字され、濃い印字となってしまう。モノクロ印字の場合には、Ｋ一色での濃度が変化するため、画像の濃さは変化するが、カラーの印字においては、ＹＭＣＫ四色で一つの色を再現させる、それぞれの値が変化してしまうと、データ保存時の色と異なる濃度の色が混ざり合うことになり、色の再現性が極端に劣化するということが起こり得る。このように、カラーのデータを濃度補正後の状態でハードディスク等の補助記憶装置に保存し、再印字時に、濃度補正テーブルが変更されていると印字結果の色が劣化することになる。
【００７０】
次に、本発明による印刷装置の例を示す。
【００７１】
エンジン部の構成は、従来例と同じであるが、図１に相当するシステム構成、および、図３に相当するデータ解析における処理過程での保存方式の設定手段が異なる。
【００７２】
図１４は、本実施例の印刷装置であり、ホストコンピュータ（１００１）とカラーレーザビームプリンタ１０３０、およびその両者を接続している通信線１００２から構成されるシステム構成を示した図である。
【００７３】
カラーレーザビームプリンタ１０３０内の１０３１は、プリンタ全体の動作を司るカラーレーザビームプリンタ制御ユニットである。制御ユニットには、ホストコンピュータとの入出力を司るホストＩ／Ｆ部１０４８を通じて、ジョブ設定データ、各通信手段からデータの送受信を行うための入出力バッファ（１０３２）、制御ユニット全体の動作を制御するＣＰＵ１０３３、ＣＰＵの動作を記述するプログラムが内蔵されているプログラムＲＯＭ１０３４、前記ジョブ設定データ、データの解釈や印刷に必要な計算、印字データの処理のためのワークメモリに利用されるＲＡＭ１０３５、ホストコンピュータから受信したデータであるページ記述言語の解析を行い、解析結果により各種の画像オブジェクトを生成するＰＤＬ解析／画像情報生成部１０４１、画像オブジェクトをビットマップ画像に展開するビットマップ画像展開部１０４０、展開されたビットマップ画像を印刷装置エンジンに転送するビットマップ画像転送部１０４２、実際に紙に印刷を行う印刷装置エンジン部１０３６とエンジンの各動作の制御を行うエンジン制御部１０４９、およびカラー／モノクロ印字の制御を行うカラー／モノクロ印字制御部１０５０、プリンタコントローラとエンジン部を繋ぐエンジンＩ／Ｆ部１０４６、濃度補正実行時に濃度を測定する際に利用する濃度補正測定用の画像を生成し、濃度の測定をエンジンに指示する濃度制御実行部１０７０、測定された濃度測定結果に基づいて濃度補正テーブルを作成する濃度補正テーブル作成部１０７１と補正テーブルを格納しておく濃度補正テーブル格納部１０７２、ビットマップ画像に展開する際に、濃度設定の行われている画像オブジェクトに対して濃度補正を行う濃度補正実行部１０７３、ホストコンピュータにより文書の保存が指定された場合に、ＰＤＬデータのハードディスクへの保存、および、保存文書の印字が指定された場合にハードディスクからの読出しを行うＰＤＬデータ保存／読出し処理部１０８０、またホストコンピュータにより文書の保存が指定された場合に、イメージデータのハードディスクへの保存、および、保存文書の印字が指定された場合にハードディスクからの読出しを行うイメージデータ保存／読出し処理部１０８１、ハードディスクへの文書の保存、および読出し時に一時的にデータを保存する保存データスプール部１０８２、設定されているデータのカラーモードに従ってＰＤＬデータでの保存か、イメージデータでの保存かを選択するデータ保存手段選択部１０８３、印刷装置の操作を行う操作パネル１０３７、制御ユニットと操作パネルを繋ぐパネルＩ／Ｆ部１０４７および、印字データや様々な印刷装置の情報等の保存に利用されるハードディスク１０３８と制御ユニットと外部メモリを繋ぐメモリＩ／Ｆ部１０３９、そして各ユニットをつなぐシステムバス１０４３からシステムは構成されている。
【００７４】
次に、従来の実施例、図３の処理過程に相当するデータの解析における処理過程を説明する。図１５は、本実施例におけるデータの解析における処理過程である。図１５の処理過程は、図３とほぼ同じであるが、保存方式の設定を行う１５００１の処理のみが異なる。通常印字、および、濃度補正の処理は、図３と同じである。
【００７５】
ここで、ジョブ設定データにより、補助記憶装置へのデータの保存が指定されている場合について説明する。ＰＤＬデータの保存の場合は、図１５において、３００５でＹＥＳとなるが、３００６では、保存方式が図１６の処理フローに従って設定される。すなわち、３００２によってジョブ設定されている各種設定の中から、カラー設定を参照し１６００２、カラー設定である場合には（１６００３でＹＥＳ）、上述の色が再印字に変化しないように、ＰＤＬデータ、すなわち、濃度補正前のデータ形式で保存するように設定を行う１６００４。また、カラー設定でない場合には（１６００３でＮＯ）、モノクロ設定の場合には、保存形式に指定がある場合には、変化もカラー印字ほど大きくない点や、モノクロデータは、写真などの用途より、文字や文書等、比較的濃度の変化が少ない印字が多い点を考慮し、指定がない場合には、再印刷時に、データの解釈が必要のないイメージデータでの保存を行うことにする。そこで、保存方式に指定があるかどうかをチェックし、指定があれば（１６００５でＹＥＳ）、ＰＤＬデータの保存かどうかをチェックし、ＰＤＬデータの指定があれば（１６００６でＹＥＳ）、保存方式をＰＤＬデータ、すなわち、濃度補正前のデータ形式で保存するように設定し１６００８、保存方式に指定がない（１６００５でＮＯ）、あるいは、イメージデータの保存が指定されている場合（１６００６でＮＯ）は保存方式をイメージデータ、すなわち、濃度補正後のデータ形式で保存するように設定し１６００７、保存方式の設定を終了する。そして図１５の処理に戻り図３と同じ処理を続行する。
【００７６】
そして、１５００１の設定によって、イメージデータの保存が指定されている場合には３０１５でＹＥＳ、３０１７でハードディスクにイメージデータが保存されることになる。この場合データ解析が終了すると終了時３００４に、ジョブ設定データ等、再印刷時に必要な情報は、同時にハードディスクに保存される。
【００７７】
このように保存されたデータは、カラー設定の場合には、色が変わらないように濃度補正後のデータ形式（本実施例ではビットマップデータ）でハードディスクに保存せず、濃度補正前のデータ形式（本実施例ではＰＤＬデータ）で保存されるため、カラーデータは、印字の際は、図１５の３０１０においてＰＤＬデータの読込になり、３０１１、および３０１３の順に実行され、印字の時点で、図４の濃度補正テーブルの参照が行われることになる。
【００７８】
その結果、ジョブ毎の設定を参照してカラー設定かどうかを判断することによって、補助記憶装置に保存したデータを再印字する際、保存した時点での印刷装置の置かれた環境と保存されたデータを再度印刷に利用する時点での印刷装置の置かれた環境が異なる場合にも、色が変わることなくユーザの望む色での印字を行うことが可能となる。
【００７９】
また、カラー設定のあるジョブをチェックして保存方式を予め予測して選択し、色が変わる可能性のあるデータを補助記憶装置に保存する際に自動的にデータの保存方式を変更することによって、補助記憶装置に保存したデータを再印字する際、保存した時点での印刷装置の置かれた環境と保存されたデータを再度印刷に利用する時点での印刷装置の置かれた環境が異なる場合にも、色が変わることなくユーザの望む色での印字が可能となる。
【実施例２】
【００８０】
実施例１においては、濃度変換前のデータの状態として、ＰＤＬでの例を示したが、画像情報での保存でも同様の設定が可能である。また、実施例１においては、ジョブ毎（１つの文書の毎）の設定によって、保存手段を切り替えたが、ページ単位ごとの設定によって、保存手段を切り替えることも可能である。
【００８１】
システム構成、および、エンジン部の構成は、実施例１と同じであるが、図１に相当するシステム構成、および、図１５に相当するデータ解析における処理過程での保存方式の設定判断、ＰＤＬデータの保存単位、イメージデータの保存単位が異なる。
【００８２】
次に、実施例１における、図１５の処理過程に相当するデータの解析における処理過程を説明する。図１７は、本実施例におけるデータの解析における処理過程である。図１７の処理過程は、図１５とほぼ同じであるが、保存方式の設定を行う１７００１の処理、および、ハードディスクに保存するＰＤＬデータ、イメージデータの処理単位が１ページ単位となっている点、また保存データの印字時の処理が異なる。通常印字、および、濃度補正の処理は、図１５と同じである。
【００８３】
ここで、ジョブ設定データにより、補助記憶装置へのデータの保存が指定されている場合について説明する。ＰＤＬデータの保存の場合は、図１５において、３００５でＹＥＳとなるが、３００６では、保存方式が図１８の処理フローに従って設定される。すなわち、保存方式の設定が開始されると１６００１、まず１ページ分のＰＤＬを先行して解釈し１８００１、ページ中にカラー設定が存在するかどうかをチェックし、カラー設定である場合には（１６００３でＹＥＳ）、上述の色が再印字に変化しないように、ＰＤＬデータ、すなわち、濃度補正前のデータ形式で保存するように設定を行う１６００４。また、カラー設定でない場合には（１６００３でＮＯ）、モノクロ設定の場合には、保存形式に指定がある場合には、変化もカラー印字ほど大きくない点や、モノクロデータは、写真などの用途より、文字や文書等、比較的濃度の変化が少ない印字が多い点を考慮し、指定がない場合には、再印刷時に、データの解釈が必要のないイメージデータでの保存を行うことにする。そこで、保存方式に指定があるかどうかをチェックし、指定があれば（１６００５でＹＥＳ）、ＰＤＬデータの保存かどうかをチェックし、ＰＤＬデータの指定があれば（１６００６でＹＥＳ）、保存方式をＰＤＬデータ、すなわち、濃度補正前のデータ形式で保存するように設定し１６００８、保存方式に指定がない（１６００５でＮＯ）、あるいは、イメージデータの保存が指定されている場合（１６００６でＮＯ）は保存方式をイメージデータ、すなわち、濃度補正後のデータ形式で保存するように設定し１６００７、保存方式の設定を終了する。この段階で、保存方式は、ページ内の情報を検索した結果が得られ、設定されていることになる。ここで、図１７に戻り、ＰＤＬデータの保存が設定されている場合には、ハードディスクに１ページ分のＰＤＬデータを保持し、次のページからの解釈は、３００３から続けて行うことになる。また、イメージデータの保存が設定されている場合には、１７００３において、ハードディスクに１ページ分のイメージデータを保持し、次のページからの解釈は、３００３から続けて行うことになる。このように、１ページ分の解釈を先行して行うことによって、ページがカラー設定かモノクロ設定かを判断してページ単位でハードディスクへのデータの保存形式を切り替えることが可能となる。そして、この場合には、ジョブの内部のページの保存状態にＰＤＬデータとイメージデータが混在するため、データ解析が終了すると終了時３００４に、ジョブ内のページ毎の保存状態を、再印刷時に必要な情報として、同時にハードディスクに保存しておく。
【００８４】
次に、データをハードディスクから再印刷する際の処理を説明する。図１９にハードディスク保存されている保存データの印字の処理過程を示す。図１７、３００９において、保存データの印字が指定されていると、保存データの解析を行って１７００４、データ解析を終了する１７００５。１７００４では、図１９においてまず保存データの解析開始が指定されると１９００１、ハードディスクよりデータを読み込み１９００２、データの読み込みが終了であれば（１９００３でＹＥＳ）、保存データの解析を終了する１９００４。データの読み込みが終了でなければ（１９００３でＮＯ）、ハードディスクから１ページ分の保存データの読込を行い１９００５、保存方式がＰＤＬデータの場合には（１９００６でＹＥＳ）、通常印字時と同じように１９００７でＰＤＬの解析／画像情報の生成を行い、１９００８で生成された画像情報をビットマップに展開し、印字待ちページ１９００９に登録を行って、１９００３からの処理を繰り返す。保存方式がイメージデータの場合には（１９００６でＮＯ）、既にビットマップデータとなっているため、印字待ちページに登録して１９００９、１９００３からの処理を繰り返す。１９００７の処理は、図４の処理となる。
【００８５】
上記のようにに保存されたデータは、カラー設定の場合には、色が変わらないように濃度補正後のデータ形式（本実施例ではビットマップデータ）でハードディスクに保存せず、濃度補正前のデータ形式（本実施例ではＰＤＬデータ）で保存されるため、カラーデータは、印字の際、図１５の３０１０においてＰＤＬデータの読込になり、３０１１、および３０１３の順に実行され、印字の時点で、図４の濃度補正テーブルの参照が行われることになる。
【００８６】
その結果、ページ単位の設定を参照してカラー設定かどうかを判断することによって、補助記憶装置に保存したデータを再印字する際、保存した時点での印刷装置の置かれた環境と保存されたデータを再度印刷に利用する時点での印刷装置の置かれた環境が異なる場合にも、色が変わることなくユーザの望む色での印字を行うことが可能となる。
【００８７】
本実施例２では、ページのカラー設定を判別するために、データ解析時に１ページ分のＰＤＬデータを解析したが、ＰＤＬデータを作成するホストコンピュータ側でＰＤＬデータを作る際に、ページ単位の情報をジョブ設定データとして添付して設定を行うことでも同様にページ単位でのカラー設定を参照して切り替えてデータの保存を行うことが可能である。
【００８８】
また、本実施例２においては、ＰＤＬ解析／画像情報の生成時点で、濃度補正テーブルを参照して濃度補正の実行を行っているが、図４の４００５から４００７の変換を図３のビットマップ画像展開を行いながら実行することも可能である。このような場合には、ＰＤＬでの保存の変わりに、画像情報をハードディスクへ保存することにより、ＰＤＬの解釈が既に終了していることから、再印刷時の印刷速度の向上も可能であり、本実施例のＰＤＬの保存例と同じように濃度補正前のデータの状態としての保存が可能となる。
【００８９】
上記実施例１、２では、濃度補正前のデータ形式と濃度補正後のデータ形式での保存手段の選択をカラー設定の存在に従って切り替えていたが、カラー設定の存在をチェックする変わりに、濃度指定がジョブ内、あるいは、１ページ内に存在するかどうかをチェックすることにより、濃度指定がジョブ内に存在する場合には、濃度補正前のデータ形式でハードディスクに保存を行い、濃度指定がジョブ内、あるいは、１ページ内に存在しない場合には、濃度補正後のデータ形式でハードディスクに保存を行うことも可能であり、その結果、濃度の指定により再印刷時に色が変わる可能性があるかどうかで保存形式を選択することも可能である。
【図面の簡単な説明】
【００９０】
【図１】従来のカラーレーザビームプリンタのシステム構成を示した図である。
【図２】カラーレーザビームプリンタのエンジン部を説明する図である。
【図３】従来のプリンタコントローラにおけるデータの解析における処理過程を示すフローチャートである。
【図４】プリンタコントローラにおけるＰＤＬ解釈／画像情報生成における処理過程を示すフローチャートである。
【図５】電源立ち上げ後印字するページがあるかを監視する印字制御における処理過程を示すフローチャートである。
【図６】カラーレーザビームプリンタにおける印字プロトコルをインターフェース信号のタイミングチャートと物理的な動作を模擬的に示した図である。
【図７】中間転写体に転写された画像を模擬的に示した図である。
【図８】プリンタコントローラにおける濃度制御の処理過程を示すフローチャートである。
【図９】従来のカラーレーザビームプリンタの濃度補正時に利用される濃度測定画像を模擬的に示した図である。
【図１０】入力濃度と出力濃度の関係を模擬的に示した図である。
【図１１】入力濃度と補正入力濃度の関係を模擬的に示した図である。
【図１２】カラーレーザビームプリンタの濃度補正プロトコルをインターフェース信号のタイミングチャートと物理的な動作を模擬的に示した図である。
【図１３】入力濃度と補正入力濃度の関係を模擬的に示した図である。
【図１４】本発明のカラーレーザビームプリンタのシステム構成を示した図である。
【図１５】本発明を適用したプリンタコントローラにおけるデータの解析における処理過程を示すフローチャートである。
【図１６】本発明を適用したプリンタコントローラにおけるハードディスク保存方式の設定における処理過程を示すフローチャートである。
【図１７】本発明を適用したプリンタコントローラにおけるデータの解析における処理過程を示すフローチャートである。
【図１８】本発明を適用したプリンタコントローラにおけるハードディスク保存方式の設定における処理過程を示すフローチャートである。
【図１９】本発明を適用したプリンタコントローラにおける保存データの印字における処理過程を示すフローチャートである。
【図２０】中間転写体より転写材に２次転写された画像を模擬的に示した図である。
【符号の説明】
【００９１】
１００１  ホストコンピュータ
１００２  通信線
１０３０  カラーレーザビームプリンタ
１０３１  プリンタコントローラ
１０３２  入出力バッファ
１０３３  ＣＰＵ
１０３４  プログラムＲＯＭ
１０３５  ＲＡＭ
１０３６  印刷装置エンジン部
１０３７  操作パネル部
１０３８  外部メモリ部（ハードディスク）
１０３９  メモリＩ／Ｆ部
１０４０  ビットマップ画像展開部
１０４１  ＰＤＬ解釈／画像情報生成部
１０４２  ビットマップ画像転送部
１０４３  システムバス
１０４６  エンジンＩ／Ｆ部
１０４７  パネルＩ／Ｆ部
１０４８  ホストＩ／Ｆ部
１０７０  濃度制御実行部
１０７１  濃度補正テーブル作成部
１０７２  濃度補正テーブル格納部
１０８０  ＰＤＬデータ保存／読出し処理部
１０８１  イメージデータ保存／読出し処理部
１０８２  保存データスプール部
１０８３  データ保存手段選択部
２００１  筐体
２００２  操作パネル
２００３  制御ボード収納部
２００４  ドラムユニット
２００５  感光ドラム
２００６  レーザドライバ
２００７  回転多面鏡
２００８  反射ミラー
２００９  ビームディテクタ
２０１０  中間転写体
２０１１  現像ロータリ
２０１２Ｙ  イエロー現像器
２０１２Ｍ  マゼンタ現像器
２０１２Ｃ  シアン現像器
２０１２Ｋ  黒現像器
２０１３  転写ローラ
２０１４  定着器
２０１５  定着ローラ
２０１６  加圧ローラ
２０１７  ヒータ
２０１８  ヒータ
２０２０  レーザスキャナ部
２０２１  前露光ランプ
２０２２  クリーナ
２０２３  一次帯電器
２０２４  カセット
２０２５  給紙トレイ（手差しトレイ）
２０２６  給紙クラッチ
２０２７  転写材
２０２８  レジストシャッタ
２０２９  給紙ローラ
２０３０  反転給紙ユニット
２０３１  搬送ローラ
２０３２  搬送ローラ
２０３３  搬送ローラ
２０３４  フラッパ
２０３５  搬送ローラ
２０３６  フラッパ
２０３７  フラッパ
２０３８  給紙ローラ
２０３９  搬送ローラ（レジストローラ）
２０４０  搬送ローラ
２０４１  搬送ローラ
２０４２  搬送ローラ
２０４３  外部メモリユニット
２０４４Ｔ  画像形成開始位置検出センサ
２０４４Ｒ  給紙タイミングセンサ
２０４４Ｃ  濃度センサ
２０４５  転写材自動判別センサ
２０４６  転写ローラクリーナ
【図１】
2005138470.tif 000003
【図２】
2005138470.tif 000004
【図３】
2005138470.tif 000005
【図４】
2005138470.tif 000006
【図５】
2005138470.tif 000007
【図６】
2005138470.tif 000008
【図７】
2005138470.tif 000009
【図８】
2005138470.tif 000010
【図９】
2005138470.tif 000011
【図１０】
2005138470.tif 000012
【図１１】
2005138470.tif 000013
【図１２】
2005138470.tif 000014
【図１３】
2005138470.tif 000015
【図１４】
2005138470.tif 000016
【図１５】
2005138470.tif 000017
【図１６】
2005138470.tif 000018
【図１７】
2005138470.tif 000019
【図１８】
2005138470.tif 000020
【図１９】
2005138470.tif 000021
【図２０】
2005138470.tif 000022